(57)【特許請求の範囲】
【請求項１】
次の５つの成分群（Ｉ）〜（Ｖ）：
（Ｉ）オクタナール、ノナナールおよび／またはデカナール
（II）リナロール
（III）カルボン
（IV）アントラニル酸メチルおよび／またはＮ−メチルアントラニル酸メチル
（Ｖ）シネンサールおよび／またはオレンジピール精油シネンサール画分
のうち、少なくとも２つの成分群の成分を、質量比で、成分群（Ｉ）の成分：成分群（II）の成分：成分群（III）の成分：成分群（IV）の成分：成分群（Ｖ）の成分＝２〜６：３〜１０：０．５〜２．５：０．５〜２０：０．１〜３となる割合で含有することを特徴とするタバコ臭気消臭用香料組成物。
【請求項２】
該成分群（Ｉ）〜（Ｖ）のうち、少なくとも３つの成分群の成分を含有することを特徴とする請求項１に記載のタバコ臭気消臭用香料組成物。
【請求項３】
オクタナール、リナロール、カルボン、アントラニル酸メチルおよびシネンサールもしくはオレンジピール精油シネンサール画分を含有することを特徴とする請求項１に記載のタバコ臭気消臭用香料組成物。
【発明の詳細な説明】
【０００１】
【発明の属する技術分野】
本発明は、タバコ臭気消臭用香料組成物に関する。
【０００２】
【従来の技術】
一般に、シガレット等のタバコ喫煙物品から放出される副流煙等のタバコ臭気は、特に非喫煙者にとって好ましいとはいえないものである。特に、室内における喫煙によって生じるタバコ臭気が問題となっている。
【０００３】
従来、このようなタバコ臭気の消臭のために、芳香を発する物質（香料）を用い、その芳香によりタバコ臭気をマスクすることが行われている。
【０００４】
【発明が解決しようとする課題】
しかしながら、従来の香料は、その芳香自体が強いため、タバコ臭気と混合されたとき、臭気全体の強さを増加させてしまう。
【０００５】
従って、本発明は、タバコ臭気と混合しても、全体の臭いの強さを有意に増加させることなく、タバコ臭気を効果的に消臭し得るタバコ臭気消臭用香料組成物を提供することを目的とする。
【０００６】
【課題を解決するための手段】
本発明者らは、上記課題を解決すべく鋭意検討した結果、特定の成分群のうちから選ばれた少なくとも２種の成分を含む成分の混合物が、タバコ臭気と混合しても全体の臭いの強さを有意に増加させることなく、タバコ臭気を効果的にマスクし得ることを見いだした。本発明はこの知見に基づく。
【０００７】
本発明者らは、上記課題を解決すべく鋭意検討した結果、特定の成分群のうちから選ばれた少なくとも２種の成分を含む成分の混合物が、タバコ臭気と混合しても全体の臭いの強さを有意に増加させることなく、タバコ臭気を効果的にマスクし得ることを見いだした。本発明はこの知見に基づく。
すなわち、本発明は、次の５つの成分群（Ｉ）〜（Ｖ）、すなわち（Ｉ）オクタナール、ノナナールおよび／またはデカナール、（II）リナロール、（III）カルボン、（IV）アントラニル酸メチルおよび／またはＮ−メチルアントラニル酸メチル、（Ｖ）シネンサールおよび／またはオレンジピール精油シネンサール画分のうち、少なくとも２つの群の成分を、質量比で、成分群（Ｉ）の成分：成分群（II）の成分：成分群（III）の成分：成分群（IV）の成分：成分群（Ｖ）の成分＝２〜６：３〜１０：０．５〜２．５：０．５〜２０：０．１〜３となる割合で含有することを特徴とするタバコ臭気消臭用香料組成物を提供する。
【０００９】
また、本発明の香料組成物は、成分群（Ｉ）〜（Ｖ）のうち、少なくとも３つの成分群の成分を含むことが好ましい。
【００１０】
特に好ましい本発明の香料組成物は、オクタナール、リナロール、カルボン、アントラニル酸メチルおよびシネンサールもしくはオレンジピール精油シネンサール画分を含有する。
【００１１】
【発明の実施の形態】
以下、本発明をより詳しく説明する。
【００１２】
本発明のタバコ臭気消臭用香料組成物は、次の５つの成分群（Ｉ）〜（Ｖ）、すなわち（Ｉ）（ａ）オクタナール、（ｂ）ノナナールおよび／または（ｃ）デカナール、（II）リナロール、（III）カルボン、（IV）（ａ）アントラニル酸メチルおよび／または（ｂ）Ｎ−メチルアントラニル酸メチル、（Ｖ）（ａ）シネンサールおよび／または（ｂ）オレンジピール精油シネンサール画分のうち、少なくとも２つの群の成分を含む。上記成分のうち、リナロールは、ｄ体、ｌ体またはラセミ体のいずれでもよく、カルボンも、ｌ体、ｄ体またはラセミ体のいずれでもよく、またシネンサールは、α体、β体またはそれらの混合物のいずれでもよい。また、オレンジピール精油シネンサール画分とは、柑橘類の果皮油（ピールオイル）を冷時あるいは常温下で採取した精油（一般に、コールドプレスオイルと呼ばれる）を分留することにより得られるα，β−シネンサール（特有成分）またはα，β−シネンサール成分リッチは留分をいう。例えば，Ｒ．Ｃ．Ｔｒｅａｔ社のシネンサール２０／１０Ａ  Ｎａｔｉｏｎａｌ（商品名）等を用いることができる。成分群（Ｉ）〜（Ｖ）を構成する成分を以下、特定成分ということがある。
【００１３】
成分群（Ｉ）における成分（ａ）〜（ｃ）が、いずれか２種以上の混合物の形態で含まれる場合、その混合物を１成分とみなし、成分群（IV）における成分（ａ）と（ｂ）が混合物の形態で含まれる場合、その混合物を１成分とみなし、また成分群（Ｖ）における成分（ａ）と（ｂ）が混合物の形態で含まれる場合、その混合物を１成分とみなすとき（本発明において、同じ）、本発明のタバコ臭気消臭用香料組成物は、以下の２特定成分系〜５特定成分系を含む。
【００１４】
＜２特定成分系＞
（Ｉ）（ａ）、（Ｉ）（ｂ）および／もしくは（Ｉ）（ｃ）と、（II）、（III）、（IV）（ａ）および／もしくは（IV）（ｂ）または（Ｖ）（ａ）および／もしくは（Ｖ）（ｂ）との組合せ；
（II）と、（III）、（IV）（ａ）および／もしくは（IV）（ｂ）または（Ｖ）（ａ）および／もしくは（Ｖ）（ｂ）との組合せ；
（III）と、（IV）（ａ）および／もしくは（IV）（ｂ）または（Ｖ）（ａ）および／もしくは（Ｖ）（ｂ）との組合せ；または
（IV）（ａ）および／もしくは（IV）（ｂ）と、（Ｖ）（ａ）および／もしくは（Ｖ）（ｂ）との組合せ。
２特定成分系においては、（Ｉ）（ａ）、（Ｉ）（ｂ）および／または（Ｉ）（ｃ）と（II）との組合せ、（Ｉ）（ａ）、（Ｉ）（ｂ）および／または（Ｉ）（ｃ）と（III）との組合せ、（Ｉ）（ａ）、（Ｉ）（ｂ）および／または（Ｉ）（ｃ）と（IV）（ａ）および／または（IV）（ｂ）との組合せ、（Ｉ）（ａ）、（Ｉ）（ｂ）および／または（Ｉ）（ｃ）と（Ｖ）（ａ）および／または（Ｖ）（ｂ）との組合せ、（II）と（IV）（ａ）および／または（IV）（ｂ）との組合せ、（II）と（Ｖ）（ａ）および／または（Ｖ）（ｂ）との組合せ、（III）と（IV）（ａ）および／または（IV）（ｂ）との組合せ、（III）と（Ｖ）（ａ）および／または（Ｖ）（ｂ）との組合せ、および（IV）と（Ｖ）（ａ）および／または（Ｖ）（ｂ）との組合せが特に好ましい。
【００１５】
＜３特定成分系＞
（Ｉ）（ａ）、（Ｉ）（ｂ）および／もしくは（Ｉ）（ｃ）と、（II）と、（III）、（IV）（ａ）および／もしくは（IV）（ｂ）または（Ｖ）（ａ）および／もしくは（Ｖ）（ｂ）との組合せ；
（Ｉ）（ａ）、（Ｉ）（ｂ）および／もしくは（Ｉ）（ｃ）と、（III）と、（IV）（ａ）および／もしくは（IV）（ｂ）または（Ｖ）（ａ）および／もしくは（Ｖ）（ｂ）との組合せ；
（II）と、（III）と、（IV）（ａ）および／もしくは（IV）（ｂ）または（Ｖ）（ａ）および／もしくは（Ｖ）（ｂ）との組合せ；または
（Ｉ）（ａ）、（Ｉ）（ｂ）および／もしくは（Ｉ）（ｃ）、（II）および／または（III）と、（IV）（ａ）および／または（IV）（ｂ）と、（Ｖ）（ａ）および／または（Ｖ）（ｂ）との組合せ。
【００１６】
＜４特定成分系＞
（Ｉ）（ａ）、（Ｉ）（ｂ）および／もしくは（Ｉ）（ｃ）と、（II）と、（III）と、（IV）（ａ）および／もしくは（IV）（ｂ）または（Ｖ）（ａ）および／もしくは（Ｖ）（ｂ）との組合せ；
（II）と、（III）と、（IV）（ａ）および／もしくは（IV）（ｂ）と、（Ｖ）（ａ）および／もしくは（Ｖ）（ｂ）との組合せ；または
（Ｉ）（ａ）、（Ｉ）（ｂ）および／もしくは（Ｉ）（ｃ）と、（II）および／または（III）と、（IV）（ａ）および／または（IV）（ｂ）と、（Ｖ）（ａ）および／または（Ｖ）（ｂ）との組合せ。
【００１７】
＜５特定成分系＞
（Ｉ）（ａ）、（Ｉ）（ｂ）および／もしくは（Ｉ）（ｃ）と（II）と（III）と、（IV）（ａ）および／もしくは（IV）（ｂ）と、（Ｖ）（ａ）および／もしくは（Ｖ）（ｂ）との組合せ。
【００１８】
しかしながら、好ましい実施の形態において、本発明の香料組成物は、ｎ−オクタナール、リナロール、ｌ−カルボン、アントラニル酸メチルおよびオレンジピール精油シネンサール画分もしくはシネンサールからなる群の中から選ばれる少なくとも２種の成分を含む。
【００１９】
本発明において、香料組成物は、その特定成分数が多くなるほど、所期の効果がより一層顕著なものとなる。すなわち、２特定成分系の香料組成物よりも３特定成分系の香料組成物の方が好ましく、３特定成分系の香料組成物よりも４特定成分系の香料組成物の方が好ましい。最も好ましい香料組成物は、５特定成分系である。
【００２０】
本発明の香料組成物を構成する５特定成分は、（Ｉ）：（II）：（III）：（IV）：（Ｖ）＝２〜６：３〜１０：０．５〜２．５：０．５〜２０：０．１〜３の質量比で配合される。ここで、２特定成分系における２つの特定成分の質量比、３特定成分系における３つの特定成分の質量比、４特定成分系における４つの特定成分の質量比は、ここで述べた質量比における数値がそのまま適用される（以下、特定成分の比について同じ）。すなわち、今、（Ｉ）：（II）：（III）：（IV）：（Ｖ）の上記質量比を、簡便のために、Ａ：Ｂ：Ｃ：Ｄ：Ｅで表すと、例えば、（II）と（III）の２成分系における（II）と（III）の比は、Ｂ：Ｃが好ましく、（Ｉ）と（IV）との２成分系における（Ｉ）と（IV）の比は、Ａ：Ｄが好ましい。同様に、例えば、（Ｉ）と（II）と（III）の３成分系における（Ｉ）と（II）と（III）の比は、Ａ：Ｂ：Ｃが好ましく、（II）と（IV）と（Ｖ）の３成分系における（II）と（IV）と（Ｖ）の比は、Ｂ：Ｄ：Ｅが好ましい。また、例えば、（Ｉ）と（II）と（III）と（IV）の４成分系における（Ｉ）と（II）と（III）と（IV）の比は、Ａ：Ｂ：Ｃ：Ｄが好ましく、（II）と（III）と（IV）と（Ｖ）の４成分系における（II）と（III）と（IV）と（Ｖ）の比は、Ｂ：Ｃ：Ｄ：Ｅが好ましい。
【００２１】
本発明において、特に好ましい成分配合比は、マンダリンオレンジ精油における上記各特定成分の存在比を実質的に維持する質量比である（特定成分（Ｖ）のうち、（Ｖ）（ｂ）のオレンジピール精油シネンサール画分は、マンダリンオレンジ精油中にはそのまま含まれていないが、（Ｖ）（ａ）のシネンサールと均等であるので、成分（Ｖ）は、マンダリンオレンジ精油におけるシネンサールの存在比と同じである。）。すなわち、特に好ましいタバコ臭気消臭用香料組成物における特定成分の質量比（Ｉ）：（II）：（III）：（IV）：（Ｖ）は、３〜５：７〜１０：１．０〜２．０：１．０〜３．０：０．５〜１．５である。
【００２２】
本発明の香料組成物は、上記特定成分以外に他の成分を含むことができる。そのような他の成分としては、上記特定成分以外のマンダリンオレンジ精油成分を好ましく例示することができる。本発明の香料組成物は、マンダリンオレンジ精油成分のうちリモネン、テルピネン等のテルペンを含有してもごく微量であるか、全く含有しないことが好ましい。本発明の香料組成物に含有され得る他のマンダリンオレンジ精油成分の例を挙げると、４−テルピネオール、α−テルピネオール、オクタノール、チモール、ヘプタノール、ｃｉｓ−カルベオール、ペリラアルコール、ｐ−メンタン１，８−ジオール等のアルコール成分、ゲラニアール、シトロネラール、ドデカナール等のアルデヒド成分、その他リモネンオキサイド等である。これらマンダリンオレンジ精油成分は、マンダリンオレンジ精油におけるそれら成分の存在比を実質的に維持するように配合することが好ましい。本発明の香料組成物は、特定成分を合計で、０．１質量％以上の割合で含有することが好ましく、５質量％以上の割合で含有することがより好ましく、３０質量％以上の割合で含有することがさらに好ましい。
【００２３】
本発明のタバコ臭気消臭用香料組成物は、そのまま適切な容器に収容してタバコ消臭剤として室内に設置することができる。
【００２４】
【実施例】
以下本発明を実施例により説明するが、本発明はそれらに限定されるものではない。
以下の例で使用した副流煙臭気についての官能評価方法（臭い袋法）は次の通りである。
＜臭い袋法＞
外部と連通する空気バッグ取り付けチューブを内側壁上部に、内部空気吸入ポート挿通用貫通孔を内側壁下部に有し、シガレット取り付け具を内側壁に備える容積４０５Ｌの直方体のチャンバ（以下、副流煙チャンバという）と市販の大気採取ボックスを準備する。大気採取ボックスは、内容積が１０Ｌよりもやや大きく、内部空気吸入ポートを内側壁下部に有し、排気孔を対向する内側壁下部に有するものである。
【００２５】
副流煙チャンバの空気バッグ取り付けチューブに内容積１０Ｌの空気バッグを取り付け、大気採取ボックスの吸入ポートに内容積１０Ｌ採取バッグを取り付けた後、副流煙チャンバの貫通孔に大気採取ボックスの吸入ポートを挿通する。ついで、大気採取ボックス内部の空気を吸引し、その吸引した空気をチャンバ内に取り付けた空気バッグ内に排出し得るように、大気採取ボックスの排気孔と副流煙チャンバの空気バッグ取り付けチューブとを真空ポンプを介してホースで接続して、閉鎖系とする。
【００２６】
しかる後、シガレットをチャンバ内のシガレット取り付け具に取り付け、自然燃焼させ、副流煙を発生させる。
【００２７】
シガレットの自然燃焼終了後、真空ポンプを駆動して、大気採取ボックス内を陰圧にすると同時に副流煙チャンバ内を空気バッグ内への排気により加圧することにより、副流煙チャンバ内の副流煙を含む空気を採取ボックス内の採取バッグ内に捕集する。
【００２８】
副流煙を含む空気を捕集した採取バッグを内部に納めたまま採取ボックスを副流煙チャンバから取り外し、希釈ラインに接続する。希釈ラインは、ポンプにより脱臭空気を後流末端に接続された臭い袋（容量３Ｌ）に送給するラインと、このラインの途中で分岐し、採取ボックスの吸入ポートに接続される分岐ラインからなり、各ラインは、流量調節弁を備える。採取バッグ内の空気は加圧ポンプによる採取ボックスの加圧により分岐ラインを通って臭い袋に送給される。
【００２９】
このようにして準備した臭い袋（１７ｍ3 当たりシガレット１本を燃焼させたときと同濃度になるように希釈）に評価対象の香料組成物を注射器により注入して揮発させ、香料を注入していない臭い袋と２つ一組にしてブラインドでパネルに提示し、一対比較法（強制２者択一法）により、以下の評価項目について結果を報告させる。
【００３０】
１．臭い全体の強さが強いのはどちらの臭い袋か
２．臭いのよいのはどちらの臭い袋か
３．タバコ臭の強いのはどちらの臭い袋か。
【００３１】
その結果、評価項目１〜３それぞれにおいて、評価対象の臭い袋と答えたパネルの数をパネルの総数で除した値を評価結果とする。従って、臭気全体の強さとタバコ臭については、数値が小さいほど優れており、臭いのよさについては、数値が大きいほど優れていることとなる。なお、パネルは、任意に抽出した成人であり、タバコ臭についての専門の訓練を受けていない普通人であった。
【００３２】
実施例１〜１８
下記表１〜表３に示す成分を同各表に示す割合で調合して本発明の調合香料組成物を調製し、上記臭い袋法によりその評価を行った。結果を表４に示す。
【００３３】
【表１】
0003798616.tif 000002
【００３４】
【表２】
0003798616.tif 000003
【００３５】
【表３】
0003798616.tif 000004
【００３６】
【表４】
0003798616.tif 000005
【００３７】
【発明の効果】
以上詳述したように、本発明によれば、タバコ臭気と混合しても、全体の臭いの強さを有意に増加させることなく、タバコ臭気を効果的に消臭し得るタバコ臭気消臭用香料組成物が提供される。